(57)【特許請求の範囲】
【請求項１】
板状体に配設されて該板状体の両面側から操作可能な取っ手装置において、
略コ形状に形成されており、前記板状体に対し略面一に配置されると共に、略中間部を支点としてシーソ式に回転可能になっている、中間部を挟んだ両端部が把持可能な取っ手本体を有し、
不使用時には前記取っ手本体を前記板状体と略面一な状態にし、使用時には前記取っ手本体を一端部側を奥へ押し、前記中間部を支点とした回転により他端部側を手前に突出した状態に切り換えることを特徴とする取っ手装置。
【請求項２】
前記取っ手本体がベースに回転可能に取り付けられて、前記板状体に対し前記ベースを介して組み込まれる請求項１に記載の取っ手装置。
【請求項３】
前記取っ手本体の回転中心となる軸部材と、前記取っ手本体と前記軸部材とにそれぞれ設けられて互いに嵌合しているカム機構と、前記カム機構を構成している一方のカム部を他方のカム部に付勢している付勢手段とを有している請求項１又は２に記載の取っ手装置。
【請求項４】
前記付勢手段は、前記取っ手本体が前記カム機構を介して所定角だけ復帰可能に回転された後、更に回転される過程で付勢力を蓄えて前記所定角まで自動復帰可能にする作用を兼用している請求項３に記載の取っ手装置。
【発明の詳細な説明】
【技術分野】
【０００１】
本発明は、蓋や仕切板等の板状体に好適な取っ手装置に関するものである。
【背景技術】
【０００２】
取っ手構造には、使用時に突出状態に切り換えれるタイプにおいて、特許文献１に例示されるごとく取っ手本体が板状体（建具）のいずれの側、つまり対向している一方側と他方側とに選択的に突出されるようにしたものがある。すなわち、特許文献１のものは、板状体の開口に取手枠を固定し、該取手枠の前後方向に貫通する開口に取っ手本体を内設し、前記取っ手本体の左右方向の一側部と前記取手枠の軸受部に通した垂直ピンを介して取っ手本体を水平揺動可能に支持し、取っ手本体の左右方向の他側部を前後方向に突出させて手が掛け易い凸部を形成したものである。また、この構造では、前記取手枠の開口の内面にストッパを一体に設け、該ストッパと係合する突起を前記凸部の前後端部に形成して取っ手本体の水平揺動範囲を規制するようにしている。
【０００３】
【特許文献１】実開平７−１２３６号公報
【発明の開示】
【発明が解決しようとする課題】
【０００４】
特許文献１の構造では、取っ手本体を板状体（建具）の両側で選択的に使用する点で優れているが、不使用時の態様として取っ手本体を板状体（取付枠）の開口内に収まるようにすると、使用する際に、取っ手本体を一端側を支点とした回転操作により手前側へ抜き出すことができなくなるため、取っ手本体を板状体（取付枠）の開口外へはみ出す形状にしなくてはならず不使用時の外観が悪くなる。また、取っ手本体は、前後に突出される他端側が回転支点となる一端側に比べて分厚くなったり重くなる関係で、外的振動等を受けると不用意に回転したり揺動して違和感を与えたり、取付枠内の中立位置に適度な規制力で保持し難かった。
【０００５】
そこで、本発明は以上のような問題点を解消するべく案出されたものである。その主な目的は、不使用時は板状体に対し略面一に配置可能にし、かつ使用時には押し操作で対応部を板状体から手前に突出可能にすることにより外観特性及び使い勝手を向上することにある。
【課題を解決するための手段】
【０００６】
上記目的を達成するため本発明は、板状体に配設されて該板状体の両面側から操作可能な取っ手装置において、略コ形状に形成されており、前記板状体に対し略面一に配置されると共に、略中間部を支点としてシーソ式に回転可能になっている、中間部を挟んだ両端部が把持可能な取っ手本体を有し、  不使用時には前記取っ手本体を前記板状体と略面一な状態にし、使用時には前記取っ手本体を一端部側を奥へ押し、前記中間部を支点とした回転により他端部側を手前に突出した状態に切り換えることを特徴としている。
【０００７】
以上の発明は、請求項２〜４のように具体化されることがより好ましい。すなわち、
第１に、前記取っ手本体がベースに回転可能に取り付けられて、前記板状体に対し前記ベースを介して組み込まれる構成である。
第２に、前記取っ手本体の回転中心となる軸部材と、前記取っ手本体と前記軸部材とに設けられて互いに嵌合しているカム機構と、前記カム機構を構成している一方のカム部を他方のカム部に付勢している付勢手段とを有している構成である。
第３に、前記付勢手段は、前記取っ手本体が前記カム機構を介して所定角だけ復帰可能に回転された後、更に回転される過程で付勢力を蓄えて前記所定角まで自動復帰可能にする作用を兼用している構成である。
【発明の効果】
【０００８】
・請求項１の発明では、１個の取っ手本体を板状体の両側から選択的に使用する構造において、特に、取っ手本体が板状体に対し略面一に配置されているため不使用時の外観を向上でき、また、略中間部を支点としてシーソ式に回転可能つまり不使用時の状態で一端側を押すと、他端側が手前に突出して掴んだり把持可能となるため使い勝手を良好にできる。また、取っ手本体がコ形状をなし、コ形の両側をそれぞれ操作部として設定することで、掴んだり把持等の操作を行い易くできる。
・請求項２の発明では、取っ手本体とベースとでユニット化されるため組立性及び取扱性に優れ、しかも板状体に対する取付性を簡略化できる。
・請求項３の発明では、取っ手本体が軸部材を中心として良好に回転されるようにしたり、カム機構により板状体の厚さ内に収まった中立位置に適度な規制力で保持されるようにし易くなる。
・請求項４の発明では、使用状態から手を離すと、取っ手本体が付勢手段の付勢力で所定角まで回転された後、カム機構により板状体と略面一となる不使用状態に切り換えられるため使い勝手をより向上できる。
【発明を実施するための最良の形態】
【０００９】
本発明の形態例を図面を参照しながら説明する。図１は取っ手装置を使用状態で示し、図２は取っ手装置を収納した不使用状態で示している。図３は取っ手装置の断面拡大図、図４は取っ手装置の作動図、図５は取っ手装置の概略分解図、図６及び図７は取っ手装置の一部を拡大した要部構成図である。以下の説明では装置構造、組立、作動の順で詳述する。
【００１０】
（装置構造）形態例の取っ手装置は、図１や図５に示されるように、取っ手本体１がベース２にカム機構３、軸部材４、付勢手段であるコイルばね５と共に組み付けられており、蓋等の板状体６に対しベース２を介して装着される。そして、取っ手本体１は、略中間部に配置された軸部材４を支点としてシーソ式に回転されて、不使用時にはベース２及び板状体６に略面一な状態となり、使用時には取っ手本体１がその一端片部１０ａ又は１０ｂ側を奥へ押圧し、軸部材４を支点とした回転により他端片部１０ｂ又は１０ａ側を手前に突出した状態に切り換えられ、該他端片部１０ｂ又は１０ａを摘んだり把持した状態で操作される。
【００１１】
ここで、取っ手本体１は、略コ形の樹脂成形体であり、コ形の両端片部１０ａ，１０ｂが共に操作部に設定されていると共に、コ形の中間片部１１が内側に突設した保持部１２を有している。保持部１２は、取っ手本体１の略中間に位置して、図６に示されるように、上下に対向した円弧状の筒片１２ａ，１２ｂにより構成されている。下側の筒片１２ｂの内周には、両縁に沿って長手方向に延びている２つの規制溝１４ａ，１４ｂが設けられている。各規制溝１４ａ，１４ｂは、後述するコイルばね５の一端５ａ又は他端５ｂをねじ込むようにする係合箇所である。また、保持部１２の内側端面１３には、中心に貫通孔１５が設けられ、該貫通孔１５の周囲端面にカム機構３を構成している一方のカム部２６が一体に形成されている。貫通孔１５には、軸部材４の一端４ａが保持部１２側から串差し状態に挿入される。なお、設計的には、両端片部１０ａ，１０ｂや中間片部１１等の形状を変更したり、各片部１０ａ，１０ｂや１１に図４に付加した凹部１７等を形成して軽量化を図ることもある。
【００１２】
ベース２は、取っ手本体１を軸部材４を介して回転可能に支持するケース２０と、ケース２０に着脱可能に装着されるカバー２５とからなり、ケース２０に対しカバー２５を装着した状態で略円盤状となる。すなわち、ケース２０及びカバー２５は、樹脂成形体であり、取っ手本体１に対応した厚さに設定されて略コ形又はＥ形に形成された開口２０ａ，２５ａを有している。また、ケース２０には、開口２０ａの中間位置で開口空間を挟んで対向している支持部２１，２２と、複数の係止片部２３とが設けられている。両支持部うち、支持部２１は、ケース略中央部に突設されていて、開口２０ａ側に位置してカム部材３０の後側部分を摺動自在かつ回転不能に保持する径大孔２１ａと、該径大孔２１ａの奥側に位置して軸部材４の他端４ｂと係合する径小孔２１ｂ（図３を参照）とを形成している。支持部２２は、径小孔２１ｂと同軸線上に設けられて軸部材４の一端４ａと係合する係合孔２２ａを形成している。係止片部２３には、カバー２５側に設けられている弾性爪２８（図２（ｂ）を参照）を係止する矩形の係止孔２３ａが設けられている。これに対し、カバー２５は、前記弾性爪２８以外にも、例えば、開口２５ａの中間部に設けられて支持部２１の径小孔２１ｂを形成している突出部分に係合する部分２７など有し、前記弾性爪２８と係止孔２３ａとの係合を介してケース２０に対し着脱される。なお、ケース２０とカバー２５とは、形態例のごとく係合構造で一体化する以外に、例えば、ねじ等の連結具により一体化するようにしてもよい。
【００１３】
カム機構３は、図６や図７に示されるように、前記したカム部２６と共に、軸部材４の軸周りに支持されるカム部材３０を有している。カム部材３０は径小の前筒部３０ａと径大の後筒部３０ｂとからなる。前筒部３０ａは、軸部材４を挿通する中心軸孔３１及び、先端面に位置してカム部２６と嵌合するカム部３２を形成している。カム部２６とカム部材３１のカム部３２とは、例えば、互いに噛み合う２カ所の山と谷とを有し、該山と谷とが回転可能に嵌合している。後筒部３０ｂは、周囲の一部を略Ｌ形に切り欠かいた切欠部３３と、後端側の一部を長くした延長部３４とを形成している。該切欠部３３は、コイルばね５が図７のごとく軸部材４に支持された状態で後筒部３０ｂ内に配置されると、その一端５ａを切欠部３３の対応部から前筒部３０ａの外周に沿って配置可能にする。延長部３４の外周には対の突起３５が設けられている。延長部３４は、支持部２１の径大孔２１ａに嵌合された状態で突起３５等を介して回転不能で、軸方向に摺動可能となる。なお、コイルばね５は、一端５ａが前端から更に前方へ折り曲げられ、他端５ｂが後端からコイル部に沿って前側へ折り曲げられている。
【００１４】
（組立）以上の各部材は次のような手順例で組み付けられたり板状体６に装着される。まず、組立操作としては、まず、軸部材４、カム部材３０、コイルばね５が取っ手本体１に組み込まれる。この場合、軸部材４は、図５に示されるように、一端４ａが保持部１２内から貫通孔１５に挿入されて中間片部１１の外側面に突出される。すると、取っ手本体１は軸部材４に対して回転自在に枢支される。次に、カム部材３０は、軸部材４に対し他端４ｂを中心軸孔３１に挿入した状態で摺動可能に枢支される。コイルばね５は、図７に示されるように、カム部材３０を軸部材４に枢支する前又は後でコイル部内に軸部材４を挿入して後筒部３０ｂの筒内に組み入れると共に、一端５ａを切欠部３３から前筒部３０ａの筒外面に沿って前方へ配置する。すると、コイルばね５の他端５ｂは、延長部３４の内面から後筒部３０ｂの外面に沿って前方へ突出される。以上の状態から、取っ手本体１は、ケース２０に対し軸部材４の一端４ａを支持部２２の係合孔２２ａに係合し、軸部材４の他端４ｂを支持部２１の径大孔２１ａを通って径小孔２１ｂ（図３を参照）に係合する。なお、この場合、軸部材４は、一端４ａを係合孔２２ａから長めに突出しておき、他端４ｂを径小孔２１ｂに係合する際に正規位置に配置するようにし、また、カバー２５をケース２０に装着されることで軸方向の動きが規制される。
【００１５】
そして、この構造では、取っ手本体１がケース２０側に組み込まれると、図７から推察されるように、コイルばね５が軸方向に圧縮され、該圧縮力によりカム部材３０を中間片部１１側に押す結果、カム部材３０のカム部３２と中間片部１１のカム部２６とが初期状態で嵌合しており、該カム部同士のカム作動ないしは嵌合力で水平に保持（つまり、取っ手本体１がベース２や板状体６に対し略面一となった非使用状態に保持）されている。なお、この構造では、取っ手本体１等を組み付けたケース２０とカバー２５とが板状体６側の開口上下に対向させて近づけることで、上記した弾性爪２８と係止孔２３ａとの係合を介して一体化されると同時に、図４に示されるように板状体６に対し板状体側の開口縁をケース２０とカバー２５との対応部で挟み込みワンタッチ操作で取り付けられる。取付状態では、取っ手本体１がベース２や板状体６に対し略面一に配置されているため不使用時の外観見栄えを向上できる。また、この構造では、取っ手本体１とベース２とでユニット化されるため組立性及び取扱性に優れていると共に、ベース２がケース２０及びカバー２５からなるため板状体６に対する取付性も簡略化し易い。
【００１６】
（作動）以上の取っ手装置は、板状体６に取り付けられた状態で取っ手本体１を板状体６の両側、つまり上下又は左右から選択的に使用することができる。換言すると、この構造では、図４に模式化したように、取っ手本体１が中間部で枢支している軸部材４を支点としてシーソ式に回転される。詳述すると、取っ手本体１は、同図のごとく他方の端片部１０ｂがＸ方向に押されて一点鎖線で示すごとく下側へ動かされると、一方の端片部１０ａが上側へ動かされる。同様に、一方の端片部１０ａがＹ方向に押されて破線で示す下側へ動かされると、他方の端片部１０ｂが上側へ動かされる。よって、取っ手本体１は、板状体６の上側で操作するときと、板状体６の下側で操作するときの何れの場合にも端片部１０ａ又は１０ｂをベース２や板状体６の対応面より奥へ押し込めると、他方の端片部１０ｂ又は１０ａを対応面より突出して取っ手としての使用状態に切り換えられるため、斬新性に富んでいる。
【００１７】
また、この構造では、例えば、図４と図７において、取っ手本体１がベース２や板状体６と面一となった非使用状態から、他方の端片部１０ａを下側へ押して軸部材４を支点として逆時計回り（Ｘ方向）に回転されると、図４のａ角の範囲（第１回転角の範囲であり、約＋４０〜−４０度に設定されている）ではカム部材３０のカム部３２（山と谷との形状）に対し取っ手本体側のカム部２６が嵌合状態を変位しつつカム部同士の圧接力に抗して回転される。なお、取っ手本体１は、操作者が回転途中（ａ角の範囲内）で取っ手本体１から手を離すと、カム作動により元の非使用状態に自動的に戻される。加えて、この構造では、前述のように取っ手本体１が軸部材４を支点として逆時計回りに更に回転される過程で、図４のｂ角の範囲（第２回転角の範囲であり、約＋７０〜−７０度に設定されている）では図６と図７を参照すると、他端５ｂが延長部３５の内面に係止した状態で、一端５ａが規制溝１４ｂに巻き込まれ、該規制溝１４ｂと共に逆時計回りにねじ込まれる（そのとき、一端５ａはカム部材３０の切欠部３３に沿ってねじ込まれる）。その結果、取っ手本体１は、ｂ角の範囲ではカム同士のカム作動と共にコイルばね５の捻り力に抗して回転される。なお、取っ手本体１は、操作者が回転途中で取っ手本体１から手を離すと、コイルばね５に蓄えられた捻り力及びカム作動によりａ角の範囲まで戻され、その後、前述したように非使用状態に自動的に戻される。また、この構造では、取っ手本体１が時計回り（Ｙ方向）に回転されるときには一端５ａが切欠部３３の角部に係止した状態で、他端５ｂが規制溝１４ａに巻き込まれ、該規制溝１４ａと共に時計回りに捻り力を蓄えながらねじ込まれることになる。このため、取っ手本体１は、使用状態から手を離すと、コイルばね５の付勢力でａ角まで回転された後、カム機構により板状体６と略面一となる不使用状態に切り換えられるため使い勝手、及び商品価値や斬新性をより向上できる。
【００１８】
なお、本発明の取っ手装置は、請求項１で特定される技術要素を備えておればよく、以上の形態例に制約されることなく細部は必要に応じて種々変更可能なものである。また、用途は、例えば、自動車のトランクルームの床に凹設された収納部に着脱可能に被せられる板状体、自動車の車室とラゲージルームとを着脱可能に仕切る板状体、配電盤等の筐体の扉用板状体などの取っ手装置として広く利用することができる。
【図面の簡単な説明】
【００１９】
【図１】発明形態の取っ手装置を使用態様で示す概略外観図である。
【図２】上記取っ手装置を単品で示し、（ａ）は上面図、（ｂ）は正面図、（ｃ）は下面図である。
【図３】図２のＡ−Ａ線に沿って断面した模式拡大図である。
【図４】図２のＢ−Ｂ線に沿って断面した模式拡大図である。
【図５】上記取っ手装置を分解した概略構成図である。
【図６】上記取っ手装置のカム機構を分解して示す部分模式拡大図である。
【図７】上記取っ手装置のカム機構を一部破断した部分模式拡大図である。
【符号の説明】
【００２０】
１…取っ手本体（１０ａと１０ｂは両端片部、１１は中間片部）
２…ベース
３…カム機構（２６はカム部）
４…軸部材
５…コイルばね（付勢手段であり、５ａは一端、５ｂは他端）
６…板状体
１２…保持部（１２ａ，１２ｂは筒片、１４ａと１４ｂは規制溝、１５は貫通孔）
２０…ケース（２０ａは開口、２１と２２は支持部）
２５…カバー（２５ａは開口、２８は弾性爪）
３０…カム部材（３０ａは前筒部、３０ｂは後筒部）
【図１】
0004679355.tif 000002
【図２】
0004679355.tif 000003
【図３】
0004679355.tif 000004
【図４】
0004679355.tif 000005
【図５】
0004679355.tif 000006
【図６】
0004679355.tif 000007
【図７】
0004679355.tif 000008